【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
発見メッセージのフィルタリングおよび処理に関する情報を含むポリシーに基づいて、フィルタリング規則のセットおよび処理規則のセットを決定することと、ここにおいて、前記フィルタリング規則のセットは、前記発見メッセージが再ブロードキャストを行われるべきかどうかを決定するために使用される、
前記フィルタリング規則のセットを受信された発見メッセージに適用することと、
前記発見メッセージが前記フィルタリング規則のセットにパスしたことに応じて、前記処理規則のセットを前記発見メッセージに適用することと、
前記発見メッセージを再ブロードキャストすることと、
を備える、方法。
【請求項２】
前記ポリシーを受信することをさらに備え、前記ポリシーは、ワイヤレスインターフェースを介して受信され、前記ワイヤレスインターフェースは、基地局またはアクセスポイントからのダウンリンクチャネルである、請求項１に記載の方法。
【請求項３】
デバイス対デバイス通信チャネル上で前記発見メッセージを受信することをさらに備え、前記デバイス対デバイス通信チャネルは、ワイヤレス通信チャネルである、請求項１に記載の方法。
【請求項４】
前記ポリシーは、ネットワークから、またはネットワークサーバから受信される、請求項１に記載の方法。
【請求項５】
前記ネットワークサーバは、近接サービス（ＰｒｏＳｅ）サーバである、請求項４に記載の方法。
【請求項６】
前記フィルタリング規則のセットは、前記発見メッセージの受信から導かれる信号強度、または前記発見メッセージの受信から導かれる信号対干渉プラス雑音比（ＳＩＮＲ）を評価する１つまたは複数のフィルタリング規則を備える、請求項１に記載の方法。
【請求項７】
前記フィルタリング規則のセットは、前記発見メッセージが再ブロードキャストされる時間インターバル、再ブロードキャストに使用される発見期間、再ブロードキャストに必要とされる電力の量、メッセージ受信中に観測される雑音上昇、前記発見メッセージの受信前のある時間期間内に発見および復号された複数の発見メッセージ、前記発見メッセージに含まれるあるロケーションに対するレンジ、前記発見メッセージ中の制御フィールドに含まれる値、前記発見メッセージのコンテンツに適用されるマッチングオペレーションのための基準コード、基準コードに対するマスク、フィールドネーム指示子、発見メッセージの認証、解読、および認可についての要件、または認証プロシージャのためのキー材料のうちの１つまたは複数を評価する、請求項１に記載の方法。
【請求項８】
前記発見メッセージは、前記発見メッセージが再ブロードキャストを行われるべきと前記フィルタリング規則のセットが決定するときに、前記フィルタリング規則のセットにパスする、請求項１に記載の方法。
【請求項９】
前記処理規則のセットを前記適用することは、
前記発見メッセージ中の制御フィールドを変化させること、
前記発見メッセージ中のインテグリティ保護フィールドを追加または上書きすること、または、
前記発見メッセージを暗号化すること、
のうちの１つまたは複数を備える、請求項１に記載の方法。
【請求項１０】
前記発見メッセージは、前記発見メッセージの受信のためのと同じデバイス対デバイス通信チャネル、または異なるデバイス対デバイス通信チャネル上で再ブロードキャストされる、請求項１に記載の方法。
【請求項１１】
ワイヤレス通信の方法であって、
受信された発見メッセージからメッセージ情報を抽出することと、
前記抽出されたメッセージ情報を送信することと、
前記発見メッセージの再ブロードキャストに関する命令を受信することと、
前記受信された命令に基づいて、前記発見メッセージを再ブロードキャストすることと、
を備える、方法。
【請求項１２】
デバイス対デバイス通信チャネル上で前記発見メッセージを受信することと、
前記発見メッセージの再ブロードキャストに関する命令がネットワークから取得されることになるかどうかを決定するために、前記発見メッセージにフィルタ機能を適用することと、ここにおいて、前記抽出することおよび前記送信することは、前記発見メッセージの再ブロードキャストに関する前記命令が前記ネットワークから取得されることになるという、前記フィルタ機能を適用した結果に応じる、
をさらに備える、請求項１１に記載の方法。
【請求項１３】
前記抽出されたメッセージ情報は、第１のワイヤレスインターフェースを介して送信され、前記命令は、第２のワイヤレスインターフェースを介して受信され、ここにおいて、前記第２のワイヤレスインターフェースは、前記第１のワイヤレスインターフェースと同じワイヤレスインターフェースであるか、または異なるワイヤレスインターフェースである、請求項１１に記載の方法。
【請求項１４】
前記抽出されたメッセージ情報は、前記発見メッセージの少なくとも一部を備える、請求項１１に記載の方法。
【請求項１５】
前記抽出されたメッセージ情報は、ネットワークに、またはネットワークサーバに送信される、請求項１１に記載の方法。
【請求項１６】
前記命令は、前記発見メッセージの変更、または前記発見メッセージ上の変化させられるべきある特定のフィールドに関する情報を備える、請求項１１に記載の方法。
【請求項１７】
前記発見メッセージの再ブロードキャストに関する前記命令に基づいて、前記発見メッセージを処理することをさらに備え、前記発見メッセージを前記再ブロードキャストすることは、前記処理された発見メッセージを再ブロードキャストすることを備える、請求項１１に記載の方法。
【請求項１８】
ワイヤレス通信のための装置であって、
メモリと、
前記メモリに結合され、かつ
発見メッセージのフィルタリングおよび処理に関する情報を含むポリシーに基づいて、フィルタリング規則のセットおよび処理規則のセットを決定することと、ここにおいて、前記フィルタリング規則のセットは、前記発見メッセージが再ブロードキャストを行われるべきかどうかを決定するために使用される、
前記フィルタリング規則のセットを前記発見メッセージに適用することと、
前記発見メッセージが前記フィルタリング規則のセットにパスしたことに応じて、前記処理規則のセットを前記発見メッセージに適用することと、
前記発見メッセージを再ブロードキャストすることと、
を行うように構成された少なくとも１つのプロセッサと、
を備える、装置。
【請求項１９】
前記少なくとも１つのプロセッサは、前記ポリシーを受信するようにさらに構成され、前記ポリシーは、ワイヤレスインターフェースを介して受信され、前記ワイヤレスインターフェースは、基地局またはアクセスポイントからのダウンリンクチャネルである、請求項１８に記載の装置。
【請求項２０】
前記ポリシーは、ネットワークから、またはネットワークサーバから受信される、請求項１８に記載の装置。
【請求項２１】
前記フィルタリング規則のセットは、前記発見メッセージの受信から導かれる信号強度、または前記発見メッセージの受信から導かれる信号対干渉プラス雑音比（ＳＩＮＲ）を評価する１つまたは複数のフィルタリング規則を備える、請求項１８に記載の装置。
【請求項２２】
前記フィルタリング規則のセットは、前記発見メッセージが再ブロードキャストされる時間インターバル、再ブロードキャストに使用される発見期間、再ブロードキャストに必要とされる電力の量、メッセージ受信中に観測される雑音上昇、前記発見メッセージの受信前のある時間期間内に発見および復号された複数の発見メッセージ、前記発見メッセージに含まれるあるロケーションに対するレンジ、前記発見メッセージ中の制御フィールドに含まれる値、前記発見メッセージのコンテンツに適用されるマッチングオペレーションのための基準コード、基準コードに対するマスク、フィールドネーム指示子、発見メッセージの認証、解読、および認可についての要件、または認証プロシージャのためのキー材料のうちの１つまたは複数を評価する、請求項１８に記載の装置。
【請求項２３】
前記発見メッセージは、前記発見メッセージが再ブロードキャストを行われるべきと前記フィルタリング規則のセットが決定するときに、前記フィルタリング規則のセットにパスする、請求項１８に記載の装置。
【請求項２４】
前記処理規則のセットを適用するために、前記少なくとも１つのプロセッサは、
前記発見メッセージ中の制御フィールドを変化させること、
前記発見メッセージ中のインテグリティ保護フィールドを追加または上書きすること、または、
前記発見メッセージを暗号化すること、
のうちの１つまたは複数を実行するように構成される、請求項１８に記載の装置。
【請求項２５】
ワイヤレス通信のための装置であって、
メモリと、
前記メモリに結合され、かつ
受信された発見メッセージからメッセージ情報を抽出することと、
前記抽出されたメッセージ情報を送信することと、
前記発見メッセージの再ブロードキャストに関する命令を受信することと、
前記受信された命令に基づいて、前記発見メッセージを再ブロードキャストすることと、
を行うように構成された少なくとも１つのプロセッサと、
を備える、装置。
【請求項２６】
前記少なくとも１つのプロセッサは、
デバイス対デバイス通信チャネル上で前記発見メッセージを受信することと、
前記発見メッセージの再ブロードキャストに関する命令がネットワークから取得されることになるかどうかを決定するために、前記発見メッセージにフィルタ機能を適用することと、ここにおいて、前記抽出することおよび前記送信することは、前記発見メッセージの再ブロードキャストに関する前記命令が前記ネットワークから取得されることになるという、前記フィルタ機能を適用した結果に応じる、
を行うようにさらに構成される、請求項２５に記載の装置。
【請求項２７】
前記抽出されたメッセージ情報は、前記発見メッセージの少なくとも一部を備える、請求項２５に記載の装置。
【請求項２８】
前記抽出されたメッセージ情報は、ネットワークに、またはネットワークサーバに送信される、請求項２５に記載の装置。
【請求項２９】
前記命令は、前記発見メッセージの変更、または前記発見メッセージ上の変化させられるべきある特定のフィールドに関する情報を備える、請求項２５に記載の装置。
【請求項３０】
前記少なくとも１つのプロセッサは、前記発見メッセージの再ブロードキャストに関する前記命令に基づいて、前記発見メッセージを処理するようにさらに構成され、前記発見メッセージを再ブロードキャストするために、前記少なくとも１つのプロセッサは、前記処理された発見メッセージを再ブロードキャストするように構成される、請求項２５に記載の装置。